【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】  取外し可能デジタルメモリモジュールとユーザのコンピュータとの間で画像データを転送するのに使用するための、取外し可能メモリモジュールおよびユーザのノートブック型コンピュータまたはデスクトップ型コンピュータの両方に接続可能であり、ユーザの掌に収まり得るサイズを有するハウジングにおいて実施される、ポータブル携帯デジタルカメラ写真画像データ転送およびリポジトリ装置であって、
ユーザの掌に収まるサイズを有し、少なくとも１つのデジタルデータ構造を有するデジタルカメラメモリモジュールを受けるようサイズ決めされるメモリ入力ポートを含むハウジングと、
前記メモリ入力ポートに挿入されるデジタルカメラメモリモジュールから写真画像データを受取り記憶するよう作動的に結合され、前記画像データを記憶するための大容量記憶装置とを含み、前記大容量記憶装置は少なくとも１ギガバイトの記憶を有し、前記画像データをユーザのコンピュータにダウンロードすることのためにアクセス可能であり、前記ポータブル携帯デジタルカメラ写真画像データ転送およびリポジトリ装置はさらに、
前記メモリモジュールに記憶される画像データを前記大容量記憶装置にコピーするためのコピー動作を開始するための、ユーザ操作可能制御ボタンと、
前記メモリ入力ポートに挿入される前記デジタルカメラメモリモジュールに記憶されるデータの前記大容量記憶装置への転送を制御するための処理回路系とを含み、前記処理回路系は、ユーザの前記制御ボタンの起動に応答して、コピー動作を開始し、前記コピー動作が正しく行なわれたことを確認するよう動作可能であり、前記処理回路系は、ユーザ入力に応答して、前記デジタルデータ構造に関連付けられる名前を変更するよう動作可能であり、前記ポータブル携帯デジタルカメラ写真画像データ転送およびリポジトリ装置はさらに、
写真画像データを表示するためのディスプレイ装置と、
前記大容量記憶装置に結合され、前記大容量記憶装置に記憶される画像データを前記ユーザのコンピュータに転送することにおいて用いるための出力インタフェースとを含み、前記出力インタフェースは前記ユーザのコンピュータのインタフェースと互換性がある、ポータブル携帯デジタルカメラ写真画像データ転送およびリポジトリ装置。
【請求項２】  前記処理回路系は、デジタルカメラメモリモジュールを、写真撮影のためにユーザのデジタルカメラにて再利用され得る状態にするために、前記メモリ入力ポートに挿入される前記デジタルカメラメモリモジュールを再フォーマットするよう動作可
能である、請求項１に記載のポータブル携帯デジタルカメラ写真画像データ転送およびリポジトリ装置。
【請求項３】  前記出力インタフェースは、前記大容量記憶に作動的に結合され、写真画像データをユーザのコンピュータに転送するためのＵＳＢインタフェースを含み、前記処理回路系は、所定を超える休止時間を検出すると電力供給を落とすよう動作可能である、請求項１に記載のポータブル携帯デジタルカメラ写真画像データ転送およびリポジトリ装置。
【請求項４】  前記処理回路系は、コピー動作が正しく行なわれたことを判断することにおいて、メモリモジュールに記憶されるデータが標準フォーマットと一致するかどうかを判断するよう動作可能である、請求項１に記載のポータブル携帯デジタルカメラ写真画像データ転送およびリポジトリ装置。
【請求項５】  前記大容量記憶装置は、取外し可能なハードドライブである、請求項１に記載のポータブル携帯デジタルカメラ写真画像データ転送およびリポジトリ装置。
【請求項６】  前記大容量記憶装置はハードドライブであり、前記データリポジトリ装置はデジタル画像データをユーザのコンピュータから受取るよう動作可能である、請求項１に記載のポータブル携帯デジタルカメラ写真画像データ転送およびリポジトリ装置。
【請求項７】  前記処理回路系は、画像関連のデータを編集するよう動作可能である、ＲＩＳＣに基づくプロセッサである、請求項１に記載のポータブル携帯デジタルカメラ写真画像データ転送およびリポジトリ装置。
【請求項８】  前記処理回路系は前記取外し可能メモリモジュールにおいてファイルを削除するよう動作可能である、請求項７に記載のポータブル携帯デジタルカメラ写真画像データ転送およびリポジトリ装置。
【請求項９】  映像を前記大容量記憶装置への転送に先立って前もって見るよう、図形画像を前記ディスプレイにおいて表示してもよい、請求項７に記載のポータブル携帯デジタルカメラ写真画像データ転送およびリポジトリ装置。
【請求項１０】  前記大容量記憶装置は取外し可能である、請求項１に記載のポータブル携帯デジタルカメラ写真画像データ転送およびリポジトリ装置。
【請求項１１】  取外し可能デジタルメモリモジュールとユーザのコンピュータとの間で画像データを転送するのに使用するための、取外し可能メモリモジュールおよびユーザのノートブック型コンピュータまたはデスクトップ型コンピュータの両方に接続可能であり、ユーザの掌に収まり得るサイズを有するハウジングにおいて実施される、ポータブル携帯デジタルカメラ写真画像データ転送およびリポジトリ装置であって、
ユーザの掌に収まるサイズを有し、少なくとも１つのデジタルデータ構造を記憶するデジタルカメラメモリモジュールを受けるようサイズ決めされる少なくとも１つのフラッシュメモリ入力ポートを含むハウジングと、
前記メモリ入力ポートに挿入されるデジタルカメラメモリモジュールから写真画像データを受取り記憶するよう作動的に結合され、前記画像データを記憶するための大容量記憶装置とを含み、前記大容量記憶装置は少なくとも１ギガバイトの記憶を有し、前記画像データをユーザのコンピュータにダウンロードすることのためにアクセス可能であり、前記ポータブル携帯デジタルカメラ写真画像データ転送およびリポジトリ装置はさらに、
デジタルカメラ画像データを表示するためのＬＣＤディスプレイと、
前記メモリモジュールに記憶される画像データを前記大容量記憶装置にコピーするためのコピー動作を開始するための、ユーザ操作可能制御ボタンと、
前記メモリ入力ポートに挿入される前記デジタルカメラモジュールに記憶されるデータの前記大容量記憶装置への転送を制御するための、ＲＩＳＣに基づくプロセッサとを含み、前記ＲＩＳＣに基づくプロセッサは、ユーザの前記制御ボタンの起動に応答して、コピー動作を開始し、前記コピー動作が正しく行なわれたことを確認し、前記ＲＩＳＣに基づくプロセッサは、画像プレビューモードにおいて、デジタルカメラ画像データのディスプレイを制御して、それによりユーザがデジタルカメラ画像データを前もって見ることができるようにするために動作可能であり、前記ＲＩＳＣに基づくプロセッサは、ユーザ入力
に応答して、前記デジタルデータ構造に関連付けられる名前を変更するよう動作可能であり、前記ポータブル携帯デジタルカメラ写真画像データ転送およびリポジトリ装置はさらに、
少なくとも１つのＬＥＤディスプレイを含み、前記プロセッサは前記少なくとも１つのＬＥＤを作動させて少なくとも１つのステータス状態を指し示すよう動作可能であり、前記ポータブル携帯デジタルカメラ写真画像データ転送およびリポジトリ装置はさらに、
前記大容量記憶装置に結合され、前記大容量記憶装置に記憶される画像データを前記ユーザのコンピュータに転送することにおいて用いるための出力インタフェースを含み、前記出力インタフェースは前記ユーザのコンピュータのインタフェースと互換性がある、ポータブル携帯デジタルカメラ写真画像データ転送およびリポジトリ装置。
【請求項１２】  前記ＲＩＳＣに基づくプロセッサはさまざまな種類のデジタルカメラメモリモジュールからの情報にアクセスするよう動作可能である、請求項１１に記載のポータブル携帯デジタルカメラ写真画像データ転送およびリポジトリ装置。
【請求項１３】  前記出力インタフェースは、前記大容量記憶装置に作動的に結合され、写真画像データをユーザのコンピュータに転送するためのＵＳＢインタフェースを含む、請求項１１に記載のポータブル携帯デジタルカメラ写真画像データ転送およびリポジトリ装置。
【請求項１４】  前記メモリ入力ポートはコンパクトフラッシュ互換性があり、コンパクトフラッシュ媒体から離れているさらなるフラッシュ媒体を受けるようサイズ決めされる付加的なメモリ入力ポートをさらに含む、請求項１１に記載のポータブル携帯デジタルカメラ写真画像データ転送およびリポジトリ装置。
【請求項１５】  前記データリポジトリ装置はデジタル画像データをユーザのコンピュータから受取るよう動作可能である、請求項１１に記載のポータブル携帯デジタルカメラ写真画像データ転送およびリポジトリ装置。
【請求項１６】  前記ＲＩＳＣに基づくプロセッサはデータを編集するよう動作可能であり、所定を超える休止時間を検出すると電力供給を落とすよう動作可能である、請求項１１に記載のポータブル携帯デジタルカメラ写真画像データ転送およびリポジトリ装置。
【請求項１７】  前記処理回路系は前記メモリモジュールにおいてファイルを削除するよう動作可能である、請求項１６に記載のポータブル携帯デジタルカメラ写真画像データ転送およびリポジトリ装置。
【請求項１８】  映像を前記大容量記憶装置への転送に先立って前もって見るよう、図形画像を前記ディスプレイにおいて表示してもよい、請求項１１に記載のポータブル携帯デジタルカメラ写真画像データ転送およびリポジトリ装置。
【請求項１９】  前記大容量記憶装置は取外し可能である、請求項１１に記載のポータブル携帯デジタルカメラ写真画像データ転送およびリポジトリ装置。
【請求項２０】  取外し可能メモリモジュールおよびユーザのノートブック型コンピュータまたはデスクトップ型コンピュータの両方に接続可能であり、ユーザの掌に収まり得るサイズを有するハウジングにおいて実施される、ポータブル携帯デジタルカメラ写真画像データ転送およびリポジトリ装置を動作させる方法であって、前記リポジトリ装置は：ユーザの掌に収まるサイズを有し、少なくとも１つのデジタルデータ構造を記憶するデジタルカメラメモリモジュールを受けるようサイズ決めされる少なくとも１つのフラッシュメモリ入力ポートを含むハウジングと；少なくとも１ギガバイトの記憶を有し、前記メモリ入力ポートに挿入されるデジタルカメラメモリモジュールから写真画像データを受取り記憶するよう作動的に結合される大容量記憶装置と；ＲＩＳＣに基づくプロセッサと；少なくとも１つの、ユーザにより操作されるボタンと；デジタルカメラ画像データを表示するためのＬＣＤディスプレイとを含み、前記方法は、
ユーザがデジタルカメラ画像データを前もって見ることができるよう、前記ＬＣＤディスプレイにおいて、前記ＲＩＳＣに基づくプロセッサの制御のもと、デジタルカメラ画像データを表示するステップと、
前記ＲＩＳＣに基づくプロセッサの制御のもと、ユーザによるコピー動作の選択に応答して、前記メモリ入力ポートに挿入されたデジタルカメラモジュールに記憶されるデータの前記大容量記憶装置への転送を開始するステップと、
コピー動作が正しく行なわれたことを確認するステップと、
ユーザ操作に応答してデジタルデータ構造の名前を変更するステップと、
前記リポジトリ装置によって行なわれている動作を特定する少なくとも１つのステータス指示を表示するステップとを含む、方法。
【請求項２１】  デジタルカメラメモリモジュールに関連付けられるファイルを削除するステップをさらに含む、請求項２０に記載の方法。
【請求項２２】  前記ＲＩＳＣに基づくプロセッサが所定を超える休止時間を検出すると電源供給を落とす動作を開始するするステップをさらに含む、請求項２０に記載の方法。
【請求項２３】  写真画像データをユーザのコンピュータに転送するステップをさらに含む、請求項２０に記載の方法。
【請求項２４】  前記メモリ入力ポートはコンパクトフラッシュ互換性があり、コンパクトフラッシュ媒体から離れているさらなるフラッシュ媒体を受けるようサイズ決めされる付加的なメモリ入力ポートからデータを受取るステップをさらに含む、請求項２０に記載の方法。